(57)【要約】【課題】柱の主筋を懸架ポイントとする柱懸架装置を提供する。【解決手段】この懸架装置は支持枠と支柱を含む。支柱は支持枠内に設置されると共に支持枠と連接する。支柱上には複数個の螺合孔を形成して支柱を主筋に螺合する際に使用する。螺合孔の間には吊上げリングを設置して懸架用に使用する。この懸架装置を使用すると柱の主筋を利用して柱を懸架することができる。【選択図】図３Ｂ
0003153676.tif 000002
【実用新案登録請求の範囲】
【請求項１】
柱を懸架し、前記柱の端面に複数本の主筋を突出して延伸させた懸架装置であって、前記懸架装置は支柱を含み、その上に複数個の螺合孔を形成し、前記複数個の螺合孔の間に少なくとも１つの吊上げリングを設置して懸架用とし、そのうち一部の前記主筋は前記螺合孔を貫通して前記支柱と螺合することを特徴とする懸架装置。
【請求項２】
矩形枠と支持リブを含み、前記螺合孔は４つの螺合孔グループに区分されて、それぞれ前記矩形枠の対角位置に設けられ、各前記螺合孔グループは少なくとも１つの螺合孔を含み、前記支持リブの両端はそれぞれ前記矩形枠に連接して、その上に前記吊上げリングを設置することを特徴とする請求項1に記載の装置。
【請求項３】
、
さらに支持枠を含み、前記支柱は前記支持枠内に設置されると共に前記支持枠と連接し、前記支持枠は前記支柱の平面から下方向に延伸させて前記柱の側壁に対応させることを特徴とする請求項1に記載の装置。
【考案の詳細な説明】
【技術分野】
【０００１】
本考案は複数本の主筋を有する柱を懸架するための懸架装置に関する。
【背景技術】
【０００２】
一般の土木工事において、懸架、運搬用に柱の一端にシャックル構造をよく設置している。図１は従来の柱のシャックル構造の概略図である。図１に示すように、柱１の一端にシャックル２を設け、運搬の際にシャックル２によって柱を吊上げることができ、柱が適切な位置まで運搬されて固定されると、通常余分なシャックル２は高温で溶解して除去する。
【考案の概要】
【考案が解決しようとする課題】
【０００３】
こうした従来の方法では柱にシャックルを外付けする必要があり、シャックルは使用終了後にさらに溶解して除去せねばならず、こうするとシャックルの外付けとその溶解にコストと時間が掛かる。
【０００４】
本考案の目的は柱の主筋を利用して柱を懸架する柱懸架装置を提供することにある。
【課題を解決するための手段】
【０００５】
この懸架装置は支持枠と支柱を含み、支柱は支持枠内に設置されると共に支持枠と連接し、支柱上には複数個の螺合孔を形成して支柱を主筋に螺合する際に使用し、螺合孔の間には吊上げリングを設置して懸架用に使用する。
【図面の簡単な説明】
【０００６】
【図１】従来の柱のシャックル構造の概略図である。
【図２Ａ】本考案の柱懸架装置に係る実施例の概略図である。
【図２Ｂ】図３Ａに示した柱懸架装置に係る実施例の上面図である。
【図２Ｃ】図３Ａに示した柱懸架装置を使用した概略図である。
【図２Ｄ】本考案の柱懸架装置内における支柱部分に係る別の実施例の概略図である。
【図３Ａ】本考案の柱懸架装置に係る別の実施例の概略図である。
【図３Ｂ】図３Ａに示した柱懸架装置に係る実施例の上面図である。
【図４】図３Ａに示した柱懸架装置に係る実施例における支持枠部分の別の実施例の上面図である。
【図５Ａ】図３Ａに示した柱懸架装置に係る実施例における別の角度の概略図である。
【図５Ｂ】図５Ａに示した柱懸架装置の安定部材部分に係る別の実施例の概略図である。
【図６】本考案の柱懸架装置内における支柱部分に係る別の実施例の概略図である。
【図７】図２Ｄに示した矩形枠を含む支柱が支持枠に組合された実施例の概略図である。
【考案を実施するための形態】
【０００７】
以下、添付図面を参照して本考案の実施の形態を詳細に説明する。
【実施例】
【０００８】
図２Ａに示すように、この懸架装置は支柱１０を含み、柱５０は方形のコンクリート柱で、４箇所のコーナーに対向する様に数本の主筋５１を設ける。支柱１０は柱の頂端に分離して設置して、懸架設置工事に使用することができる。図２Ｂに示すように、支柱１０は長方形構造を形成して、螺合孔１１と吊上げリング１２を含み、２つの螺合孔１１はそれぞれ支柱１０の対向する両端に形成され、柱５０の２つの対角に対向して設置された主筋５１に対応する。まず螺合孔１１で主筋５１を支柱１０に貫通させて、ナット６０を組合わせて使用して支柱１０を主筋５１に螺合する。吊上げリング１２は２つの螺合孔１１の中間に設置して、懸架状態にあるとき支柱１０の両端のバランスを取る。支柱１０の中央部にはヒレ状突部１２１を設ける。図２Ｃに示すように、ヒレ状突部１２１は三角形のプレートであって、支柱１０の表面に垂直に設置し、そのうち２箇所のコーナーは支柱１０の両端に対応し、吊上げリング１２は別の上向きのコーナーの端縁に回動可能に設置される。支柱１０と主筋５１を固定すると、吊上げリング１２で柱５０を吊上げることができ、柱に外付けしたシャックル等装置にたよる必要がない。
【０００９】
図２Ｄに示すように、支柱１０は矩形枠１０３と支持リブ１０４を含む。矩形枠１０３の４つのコーナーの端縁には各々螺合孔１１を設け、支持リブ１０４の両端はそれぞれ矩形枠１０３の２つの対角に連接して、吊上げリング１２は支持リブ１０４上の矩形枠１０３の重心に相当する箇所に設置されて、懸架状態にあるとき支柱１０のバランスを取る。
【００１０】
図３Ａに示すように、この懸架装置は支柱１０と支持枠２０を含み、柱５０はコンクリート柱であって、４つのコーナーに対向して数本の主筋５１を設ける。支柱１０は支持枠２０内に設置され、支持枠２０は前記支柱１０の平面から下方向に沿って延伸させて前記柱５０の側壁に対応させると共に間隙を保つ。図３Ｂに示すように、支柱１０は長方形構造を形成し、第１副支柱１０１と第２副支柱１０２によって支持枠２０と連接する。第１副支柱１０１と第２副支柱１０２は並列して設置され、第１副支柱１０１と第２副支柱１０２の両端はそれぞれ支持枠２０の２つの隣接する側辺に連接し、支柱１０の両端はそれぞれ第１副支柱１０１と第２副支柱１０２の中央部に連接し、且つ全体構成が工の字型構造を形成する。
【００１１】
また、支持枠２０の内径は柱５０の外形よりやや大きいことで、支持枠２０と柱５０の間に間隙を保たせる。支持枠２０を柱５０上に固定させるために、支柱１０の側壁に位置決め部材２１を取付けると共に、支持枠２０の枠を貫通して内向きに突出させて延伸させる。異なる方向の側壁に設置された位置決め部材２１を利用して支持枠２１を堅固に柱５０に係合させて支持枠２０のバランスを保ち、支柱１０が安定したバランスを保つよう補助する。支持枠２０の３面の側壁に各々２つの位置決め部材２１を取付け、位置決め部材２１はボルトを採用し、ボルト２１は位置決め部材２１と柱５０に当接させて固定することができる。また、必要に応じて位置決め部材２１の数やその設置位置を変更したり、その他の方法で位置決め部材２１の役割を果たして支持枠２０を柱５０上に固定したりすることもできる。
【００１２】
支持枠を柱上に堅固に固定するために、支持枠の内径、サイズを調整できる以外に、その形状も柱の形状によって調整することができる。図４に示すように、支持枠２０を円形枠にして円柱形の柱に適応させることもできる。然しながら、位置決め部材が組合わせられる状態で、円形の支持枠２０は角柱の懸架設置にも使用できる。
【００１３】
図５Ａに示すように、支柱１０は支持枠２０の枠内の表面に面して安定部材１４を設ける。安定部材１４は螺合孔１１の辺縁に取付けられ、その延伸方向は好ましくは支柱１０と垂直である。主筋５１が螺合孔１１を貫通する際、安定部材１４が阻止若しくは支持することによって、主筋５１が動揺するのを防止することができる。安定部材１４と螺合孔１１辺縁の間隔、つまり主筋５１間の距離を調整することで、柱５０の揺れ具合を調整することもできる。安定部材１４にはＬ字型の断面があり、螺合孔１１の一側に取付ける。また、図５Ａに示すように、安定部材１４は環状断面があり、螺合孔１１に環装する。
【００１４】
図６に示すように、支柱１０の両端はそれぞれ２つの螺合孔１１と１つの開口１３を設ける。支柱１０の主筋５１を螺合するほかに、その他の使用されない主筋５１は開口１３を支柱１０に貫通させて、支柱１０が主筋５１の延伸を妨害しない様にすることができる。
【００１５】
このほか、矩形枠を含む支柱を支持枠に組合わせて使用することもできる。図７に示すように、支柱１０は矩形枠１０３と支持リブ１０４を含む。矩形枠１０３の４箇所のコーナーの端縁に各々１つの螺合孔１１を設け、支持リブ１０４の両端はそれぞれ矩形枠１０３の２つの対角に連接する。支柱１０は第１副支柱１０１と第２副支柱１０２によって支持枠２０と連接する。
【符号の説明】
【００１６】
１０    支柱
１０１  第１副支柱
１０２  第２副支柱
１０３  矩形枠
１０４  支持リブ
１１    螺合孔
１２    吊上げリング
１２１  ヒレ状突部
１３    開口
１４    安定部材
２０    支持枠
２１    位置決め部材
５０    柱
５１    主筋
６０    ナット
【図１】
0003153676.tif 000003
【図２Ａ】
0003153676.tif 000004
【図２Ｂ】
0003153676.tif 000005
【図２Ｃ】
0003153676.tif 000006
【図２Ｄ】
0003153676.tif 000007
【図３Ａ】
0003153676.tif 000008
【図３Ｂ】
0003153676.tif 000009
【図４】
0003153676.tif 000010
【図５Ａ】
0003153676.tif 000011
【図５Ｂ】
0003153676.tif 000012
【図６】
0003153676.tif 000013
【図７】
0003153676.tif 000014
【手続補正書】
【提出日】平成21年7月9日(2009.7.9)
【手続補正１】
【補正対象書類名】実用新案登録請求の範囲
【補正対象項目名】請求項３
【補正方法】変更
【補正の内容】
【請求項３】
さらに支持枠を含み、前記支柱は前記支持枠内に設置されると共に前記支持枠と連接し
、前記支持枠は前記支柱の平面から下方向に延伸させて前記柱の側壁に対応させることを
特徴とする請求項1に記載の装置。